(57)【要約】【課題】放散器本体を単純な形状として縦面に取付けて使用したり、横面に設置して使用できると共に、使用時に十分な装飾効果が得られる送風式の薬剤放散装置とする。【解決手段】放散器本体１０に送風機１１と薬剤１２を設け、その送風機１１を駆動することで吸込口１３から空気を吸い込んで、薬剤を含有した空気を放出口１４から放出する送風式の薬剤放散器１と、縦面当接部２ａと縦面取付部２ｂと横面設置部２ｃと薬剤放散器挿入部２ｄと装飾物取付部２ｅを備えたリング形状の用具２を有し、前記放散器本体１０を薬剤放散器挿入部２ｄに挿入することで両者の間に空気流通空間２３を形成し、かつその空気流通用空間２３に、前記吸込口１３と放出口１４が連通するようにすることで、その用具２を用いて薬剤放散器１を縦面Ａに取付けて使用したり、横面Ｂに設置して使用できると共に、用具２に装飾物を取付けることで使用時に十分な装飾効果が得られる送風式の薬剤放散装置とする。【選択図】図３
2007222094.tif 000002
【特許請求の範囲】
【請求項１】
放散器本体１０に送風機１１と薬剤１２を設け、その送風機１１を駆動することで吸込口１３から空気を吸い込み、薬剤を含む空気を放出口１４から放出する送風式の薬剤放散器１と、
前記薬剤放散器１を縦面Ａに取付けて使用、又は横面Ｂに設置して使用するための用具２を備え、
この用具２は、縦面Ａに接する縦面当接部２ａと、縦面Ａに取付けるための縦面取付部２ｂと、横面Ｂに設置する横面設置部２ｃと、前記放散器本体１０を挿入して支持する薬剤放散器挿入部２ｄと、装飾物を取付ける装飾物取付部２ｅを備えた周方向に連続したリング形状で、
前記用具２の薬剤放散器挿入部２ｄの内周面２０の一部分と前記放散器本体１０の周面の一部分が接して放散器本体１０が抜け落ちないように支持されると共に、その内周面２０と放散器本体１０の周面の間に空気流通用空間２３を形成し、
この空気流通用空間２３に、前記吸込口１３、放出口１４が開口連通するようにした送風式の薬剤放散装置。
【請求項２】
放散器本体１０に送風機１１と薬剤１２を設け、その送風機１１を駆動することで吸込口１３から空気を吸い込み、薬剤を含む空気を放出口１４から放出する送風式の薬剤放散器１と、
前記薬剤放散器１を縦面Ａに取付けて使用、又は横面Ｂに設置して使用するための用具２を備え、
この用具２は、中空部２７を有する周方向に連続したリング形状で、縦面Ａに接する縦面当接部２ａと、縦面Ａに取付けるための縦面取付部２ｂと、横面Ｂに設置する横面設置部２ｃと、前記放散器本体１０を挿入して支持する薬剤放散器挿入部２ｄと、装飾物を取付ける装飾物取付部２ｅを備え、
前記用具２の薬剤放散器挿入部２ｄの内周面２０の一部分と前記放散器本体１０の周面の一部分が接して放散器本体１０が抜け落ちないように支持されると共に、その内周面２０と放散器本体１０の周面の間に空気流通用空間２３を形成し、
この空気流通用空間２３と前記吸込口１３が開口連通し、
前記用具２の内周面２０と放散器本体１０の周面の接触部３３に、前記放出口１４と、前記中空部２７に連通した流入口３５を対向して形成し、
前記用具２の中空部２７を大気に開口したことを特徴とする送風式の薬剤放散装置。
【請求項３】
放散器本体１０に送風機１１と薬剤１２を設け、その送風機１１を駆動することで吸込口１３から空気を吸い込み、薬剤を含む空気を放出口１４から放出する送風式の薬剤放散器１と、
前記薬剤放散器１を縦面Ａに取付けて使用、又は横面Ｂに設置して使用するための用具２を備え、
この用具２は、縦面Ａに接する縦面当接部２ａと、縦面Ａに取付けるための縦面取付部２ｂと、横面Ｂに設置する横面設置部２ｃと、前記放散器本体１０を挿入して支持する薬剤放散器挿入部２ｄと、装飾物を取付ける装飾物取付部２ｅを備えた周方向に連続したリング形状で、
前記用具２の薬剤放散器挿入部２ｄの内周面２０の一部分と前記放散器本体１０の周面の一部分が接して放散器本体１０が抜け落ちないように支持されると共に、その内周面２０と放散器本体１０の周面の間に空気流通用空間２３を形成し、
この空気流通用空間２３に、前記吸込口１３が開口連通し、前記放出口１４は直接大気に開口するようにした送風式の薬剤放散装置。
【請求項４】
用具２は、その周方向の一部分に不連続部２−１を有したリング形状で、周方向に向かう力で拡開変形するようにした請求項１又は２又は３記載の送風式の薬剤放散装置。
【請求項５】
放散器本体１０の周面と用具２の内周面２０との一方を円形、他方を多角形として、その周面の一部分と内周面２０の一部分が接触すると共に、周面と内周面２０の間に空気流通用空間２３を形成した請求項１又は２又は３記載の送風式の薬剤放散装置。
【請求項６】
放散器本体１０の周面と用具２の内周面２０を同一形状で、その周面と内周面２０の一方には突条３１が周方向に間隔を置いて複数有し、その突条３１を前記周面と内周面２０の他方に接して周面と内周面２０との間に空気流通用空間２３を形成した請求項１又は２又は３記載の送風式の薬剤放散装置。
【発明の詳細な説明】
【技術分野】
【０００１】
本発明は、居住空間の壁やドアなどの縦面に取付けて使用したり、テーブルや玄関の棚などの横面に設置して使用する送風式の薬剤放散装置に関する。
【背景技術】
【０００２】
居住空間において、その空間の芳香、消臭、害虫防除などの目的で使用される送風式の薬剤放散器が知られている。
例えば、特許文献１に開示されたように、放散器本体内にファンと薬剤を設け、そのファンを駆動することで吸込口から空気を吸い込み、放出口から薬剤を含む空気を大気に放散するようにした送風式の薬剤放散器が知られている。
【０００３】
【特許文献１】特開２００３−１０２３６１号公報
【発明の開示】
【発明が解決しようとする課題】
【０００４】
前述した従来の送風式の薬剤放散器は、主として使用者の腰に吊り下げて使用するタイプの薬剤放散器である。
一方、送風式の薬剤放散器の使用の仕方としては、薬剤放散器を居住空間の壁やドアなどの縦面に取付けて使用すること、薬剤放散器をテーブルや玄関の棚などの横面に設置して使用することが考えられる。
しかし、前述のように縦面に取付けて使用する場合には、放散器本体を縦面に安定して取付けできる形状とする必要がある。
また、前述のように横面に設置して使用する場合には、放散器本体を横面に安定して設置できる形状とする必要がある。
このようであるから、縦面に取付けて使用できると共に、横面に設置して使用できる送風式の薬剤放散器とするには、その放散器本体の形状が複雑化して製作コストが高くなる。
【０００５】
また、快適な居住空間を得るには、芳香等の薬剤効果を得ると共に、その空間に装飾効果を得て雰囲気を変えることも重要なことである。
しかし、従来の送風式の薬剤放散器は機械的な外観を有するもので、その空間に不釣り合いで違和感を否めないばかりか、前述の装飾効果が期待できない。
このようなことから、前述の薬剤放散器の放散器本体の形状を変えたり色を変えたり、カラーデザインを付与するなどして前述の装飾効果を得ようとしているが、このようにしただけでは、薬剤放散器自身の雰囲気を改良することはできても空間としての雰囲気を変えるに不充分で、十分な装飾効果が得られない。
これらのことから、放散器本体自身に装飾物を取付けて装飾効果を得ることが考えられるが、そのようにすると放散器本体の形状が複雑化して、その製作コストが高くなる。
【０００６】
このようであるから、縦面に取付けて使用できると共に、横面に設置して使用でき、しかも使用時に十分な装飾効果が得られるようにすると、放散器本体の形状が著しく複雑化して製作コストが著しく高くなる。
【０００７】
本発明の目的は、送風式の薬剤放散器の放散器本体を単純な形状として縦面に取付けて使用できると共に、横面に設置して使用でき、しかも使用時に十分な装飾効果が得られるようにした送風式の薬剤放散装置を提供することである。
【課題を解決するための手段】
【０００８】
第１の発明は、放散器本体１０に送風機１１と薬剤１２を設け、その送風機１１を駆動することで吸込口１３から空気を吸い込み、薬剤を含む空気を放出口１４から放出する送風式の薬剤放散器１と、
前記薬剤放散器１を縦面Ａに取付けて使用、又は横面Ｂに設置して使用するための用具２を備え、
この用具２は、縦面Ａに接する縦面当接部２ａと、縦面Ａに取付けるための縦面取付部２ｂと、横面Ｂに設置する横面設置部２ｃと、前記放散器本体１０を挿入して支持する薬剤放散器挿入部２ｄと、装飾物を取付ける装飾物取付部２ｅを備えた周方向に連続したリング形状で、
前記用具２の薬剤放散器挿入部２ｄの内周面２０の一部分と前記放散器本体１０の周面の一部分が接して放散器本体１０が抜け落ちないように支持されると共に、その内周面２０と放散器本体１０の周面の間に空気流通用空間２３を形成し、
この空気流通用空間２３に、前記吸込口１３、放出口１４が開口連通するようにした送風式の薬剤放散装置である。
【０００９】
第２の発明は、放散器本体１０に送風機１１と薬剤１２を設け、その送風機１１を駆動することで吸込口１３から空気を吸い込み、薬剤を含む空気を放出口１４から放出する送風式の薬剤放散器１と、
前記薬剤放散器１を縦面Ａに取付けて使用、又は横面Ｂに設置して使用するための用具２を備え、
この用具２は、中空部２７を有する周方向に連続したリング形状で、縦面Ａに接する縦面当接部２ａと、縦面Ａに取付けるための縦面取付部２ｂと、横面Ｂに設置する横面設置部２ｃと、前記放散器本体１０を挿入して支持する薬剤放散器挿入部２ｄと、装飾物を取付ける装飾物取付部２ｅを備え、
前記用具２の薬剤放散器挿入部２ｄの内周面２０の一部分と前記放散器本体１０の周面の一部分が接して放散器本体１０が抜け落ちないように支持されると共に、その内周面２０と放散器本体１０の周面の間に空気流通用空間２３を形成し、
この空気流通用空間２３と前記吸込口１３が開口連通し、
前記用具２の内周面２０と放散器本体１０の周面の接触部３３に、前記放出口１４と、前記中空部２７に連通した流入口３５を対向して形成し、
前記用具２の中空部２７を大気に開口したことを特徴とする送風式の薬剤放散装置である。
【００１０】
第３の発明は、放散器本体１０に送風機１１と薬剤１２を設け、その送風機１１を駆動することで吸込口１３から空気を吸い込み、薬剤を含む空気を放出口１４から放出する送風式の薬剤放散器１と、
前記薬剤放散器１を縦面Ａに取付けて使用、又は横面Ｂに設置して使用するための用具２を備え、
この用具２は、縦面Ａに接する縦面当接部２ａと、縦面Ａに取付けるための縦面取付部２ｂと、横面Ｂに設置する横面設置部２ｃと、前記放散器本体１０を挿入して支持する薬剤放散器挿入部２ｄと、装飾物を取付ける装飾物取付部２ｅを備えた周方向に連続したリング形状で、
前記用具２の薬剤放散器挿入部２ｄの内周面２０の一部分と前記放散器本体１０の周面の一部分が接して放散器本体１０が抜け落ちないように支持されると共に、その内周面２０と放散器本体１０の周面の間に空気流通用空間２３を形成し、
この空気流通用空間２３に、前記吸込口１３が開口連通し、前記放出口１４は直接大気に開口するようにした送風式の薬剤放散装置である。
【００１１】
第４の発明は、第１又は第２又は第３の発明において、用具２は、その周方向の一部分に不連続部２−１を有したリング形状で、周方向に向かう力で拡開変形するようにした送風式の薬剤放散装置である。
【００１２】
第５の発明は、第１又は第２又は第３の発明において、放散器本体１０の周面と用具２の内周面２０との一方を円形、他方を多角形として、その周面の一部分と内周面２０の一部分が接触すると共に、周面と内周面２０の間に空気流通用空間２３を形成した送風式の薬剤放散装置である。
【００１３】
第６の発明は、第１又は第２又は第３の発明において、放散器本体１０の周面と用具２の内周面２０を同一形状で、その周面と内周面２０の一方には突条３１が周方向に間隔を置いて複数有し、その突条３１を前記周面と内周面２０の他方に接して周面と内周面２０との間に空気流通用空間２３を形成した請求項１又は２又は３記載の送風式の薬剤放散装置である。
【発明の効果】
【００１４】
第１の発明によれば、用具２に薬剤放散器１の放散器本体１０を挿入して支持できるし、その用具２を縦面Ａに取付けできると共に、横面Ｂに設置することができ、しかも用具２に装飾物を取付けて使用することができるから、送風式の薬剤放散器１の放散器本体１０を単純な形状として縦面Ａに取付けて使用したり、横面Ｂに設置して使用でき、しかも使用時に十分な装飾効果が得られる。
【００１５】
第２の発明によれば、第１の発明と同様に、送風式の薬剤放散器１の放散器本体１０を単純な形状として縦面Ａに取付けて使用したり、横面Ｂに設置して使用でき、しかも使用時に十分な装飾効果が得られる。
また、第２の発明によれば、吸込口１３に吸い込まれる空気は空気流通用空間２３を流通し、放出口１４から放出される薬剤を含む空気は中空部２７を経て大気に放出されるので、薬剤を効率良く大気に放散することができる。
【００１６】
第３の発明によれば、第１の発明と同様に、送風式の薬剤放散器１の放散器本体１０を単純な形状として縦面Ａに取付けて使用したり、横面Ｂに設置して使用でき、しかも使用時に十分な装飾効果が得られる。
また、第３の発明によれば、吸込口１３に吸い込まれる空気は空気流通用空間２３を流通し、放出口１４から放出される薬剤を含む空気は直接大気に放出されるので、薬剤を効率良く大気に放散することができる。
【００１７】
第４の発明によれば、用具２を拡開変形することで放散器本体１０を簡単に挿入でき、挿入した後に用具２を元の状態に復元することがしっかりと放散器本体１０を支持することができる。
【００１８】
第５・第６の発明によれば、縦面Ａに取付けて壁面などに密着して縦面当接部２ａが塞がれても、また横面Ｂに設置してテーブル面などに密着して横面設置部２ｃが塞がれても、または横面Ｂに設置して縦面当接部２ａが壁面などに密着して塞がれても、空気は空気流通用空間２３から流通して吸込口１３に吸い込まれる。即ち、使用の仕方がどのようであっても空気は吸込口１３に吸い込まれ、その空気は薬剤１２に接触しながら薬剤を含む空気として放出口１４から放出される。
【発明を実施するための最良の形態】
【００１９】
本発明の第１の実施の形態を図１〜図４に基づいて説明する。
送風式の薬剤放散器１と、この薬剤放散器１を縦面Ａに取付けたり、横面Ｂに設置するための用具２で送風式の薬剤放散装置を構成している。
【００２０】
前記薬剤放散器１は、図３に示すように、放散器本体１０内に送風機１１と薬剤１２を設け、その送風機１１を駆動することで吸込口１３から空気を吸い込み、その空気を薬剤１２に接触しながら放出口１４から外部に放出するものである。
【００２１】
前記用具２は、縦面Ａに当接する縦面当接部２ａと、縦面Ａに取付けるための縦面取付部２ｂと、横面Ｂに設置する横面設置部２ｃと、放散器本体１０を挿入して支持する薬剤放散器挿入部２ｄと、装飾物を取付ける装飾物取付部２ｅを備えた周方向に連続したリング形状である。
【００２２】
このようであるから、放散器本体１０を用具２の薬剤放散器挿入部２ｄに挿入して支持する。
この状態で縦面取付部２ｂで縦面Ａに取り付けることで用具２の縦面当接部２ａが縦面Ａに接して安定して用具２を縦面Ａに取付けできる。
したがって、薬剤放散器１を縦面Ａに安定して取付けて使用することができる。
【００２３】
また、前述した状態で用具２の横面設置部２ｃを横面Ｂに設置することで、用具２を横面Ｂに安定して設置できる。
つまり、用具２の横面設置部２ｃは、放散器本体１０を薬剤放散器挿入部２ｄに挿入して支持した状態で横面Ｂに安定して設置できるようにしてある。
したがって、薬剤放散器１を横面Ｂに安定して設置して使用することができる。
【００２４】
また、縦面Ａに取付けて使用する時でも横面Ｂに設置して使用する時でも、装飾物取付部２ｅに装飾物を取付けることで、使用時に十分な装飾効果を得られる。
【００２５】
しかも、用具２を用いて縦面Ａに取付けたり、横面Ｂに設置したりすると共に、その用具２に装飾物を取付けるので、送風式の薬剤放散器１の放散器本体１０は単純な形状である。
【００２６】
前記用具２の薬剤放散器挿入部２ｄは、周方向に連続した内周面２０を有する。この内周面２０の周方向に間隔を置いた複数の部分が放散器本体１０を支持する支持部２１で、この放散器支持部２１に放散器本体１０の周面の一部分が接して放散器本体１０が抜け落ちないように強固に支持している。
前記内周面２０の支持部２１間の内面部分２２と放散器本体１０の周面とは離隔し、その両者の間に空気流通用空間２３を形成している。
この実施の形態では内周面２０が五角形で、５つの支持部２１を有し、放散器本体１０の周面が円形で、その円形の周面の周方向に間隔を置いた５つの部分が内周面２０の５つの支持部２１に接し、両者の間に５つの空気流通用空間２３を形成している。
【００２７】
前記放散器本体１０の吸込口１３、放出口１４は図３に示すように前述の空気流通用空間２３にそれぞれ開口連通している。
このようであるから、前述の空気流通用空間２３を通して空気が吸込口１３に吸い込みされると共に、放出口１４から放出された薬剤を含有した空気は空気流通用空間２３から大気に放出されるので、薬剤を大気に放散することができる。
【００２８】
次に、各部材の具体形状を説明する。
前記放散器本体１０は、前面１０ａと、周面１０ｂで後面１０ｃが開口した箱形状で、送風機収納室１５と薬剤収納室１６と電池収納室１７を有し、送風機収納室１５と薬剤収納室１６は開口部１８で連通している。
前記前面１０ａは閉塞され、周面１０ｂには送風機収納室１５に開口した前記放出口１４が形成してある。前記薬剤収納室１６は後面１０ｃに開口し、後面１０ｃから薬剤１２を挿入できるようにしていると共に、後面１０ｃに前記吸込口１３を形成している。
つまり、この実施の形態の薬剤放散器１はテーブルなどの横面に設置して使用するタイプの薬剤放散器と同様で、放散器本体１０は単純な形状である。
【００２９】
前記薬剤１２は、薬剤容器１２ａに薬剤含浸体1２ｂを入れ、押え部材１２ｃで保持したもので、その薬剤容器１２ａの通気部１２ｄ、押え部材１２ｃの通気部１２ｅを空気が流れることで薬剤含浸体１２ｂに空気が流通する。
前記薬剤１２は薬剤収納室１６内に挿入され、放散器本体１０に着脱自在に取付けした保持プレート１９で抜け落ちないように保持している。
この保持プレート１９に通気部１９ａが形成されている。
【００３０】
前記放散器本体１０の後面１０ｃは用具２の縦面当接部２ａよりも前面寄りに位置している。
これによって、用具２の縦面当接部２ａが縦面Ａに当接した時に、その縦面Ａと後面１０ｃとの間に隙間が生じ、その隙間を通して吸込口１３に空気がスムーズに吸い込みされる。
なお、横面Ｂに設置して使用する場合には縦面Ａがないので、吸込口１３に直接空気が吸い込みされる。
【００３１】
前記用具２は、内周面２０と外周面２４と前面２５と後面２６とで周方向に連続した中空部２７を有するリング形状で、外周面２４の下面２４ａが平坦面で、横面Ｂに設置される前述の横面設置部２ｃである。
前記後面２６が縦面Ａに当接し、この後面２６が縦面当接部２ａである。
前記外周面２４の上部にリング２８が取付けてあり、このリング２８を縦面Ａに設けたフックに引掛けるようにしてある。このリング２８が前述の後面取付部２ｂである。
なお、縦面取付部２ｂはリング２８に限ることはなく、紐、チェーンなどを用具２を連結したものでも良いし、用具２にフックや穴付きの取付片を一体的に設けたものでも良い。
前記外周面２４の上部、前面２５に穴２９を形成して前述の装飾物取付部２ｅとしてある。
なお、穴２９は外周面２４、前面２５にそれぞれ形成せずに、どちらか一方にのみ形成して装飾物取付部２ｅとしても良い。
また、装飾物取付部２ｅは穴２９に限ることはなく、鉤片やポケット形状の凹部などでも良い。
【００３２】
次に、本発明の第２の実施の形態を図５〜図８に基づいて説明する。
この実施の形態は、用具２の縦面当接部２ａと横面設置部２ｃを兼用できるようにしたこと及び装飾物取付部２ｅの形状が前述の第１の実施の形態と相違し、他は同様である。
用具２の前面２５と外周面２４のコーナー部を境として隣接した部分に切欠部３０を形成して装飾物取付部２ｅとする。
用具２の内周面２０、外周面２４を正方形状として、後面２６が横面Ｂに安定して設置できる形状とする。
【００３３】
これによって、図８に示すように用具２を、その後面２６を横面Ｂに安定して設置できると共に、図８に示す状態においては上向きの面（前述の前面２５）の周囲に装飾物取付部２ｅを有するので、薬剤放散器１の周囲に装飾物を取付けて使用できる。
【００３４】
また、図７に示すように外周面２４の上面２４ｂにおける隣接した切欠部３０間の部分に紐などを挿通することで、縦面取付部２ｂとすることができる。
【００３５】
前述の各実施の形態では、放散器本体１０の周面を円形とし、用具２の内周面２０を五角形、四角形として両者の間に空気流通用空間２３を形成したが、内周面２０の形状は三角形、六角形などでも良い。つまり多角形とすれば良い。
また、放散器本体１０の周面を多角形とし、用具２の内周面２０を円形として両者の間に空気流通用空間２３を形成するようにしても良い。
すなわち、放散器本体１０の周面と用具２の内周面２０の一方を円形で、他方を多角形として両者が周方向に間隔を置いた複数部分で接触し、他の部分に空気流通用空間２３を形成するようにすれば良い。なお、多角形と多角形の組み合わせでも周面と内周面２０との間に空気流通空間２３を形成することが可能である。
【００３６】
次に、本発明の第３の実施の形態を図９、図１０に基づいて説明する。
この実施の形態は、放散器本体１０の周面と用具２の内周面２０を同一形状、例えば円形と円形、多角形と多角形とし、その周面と内周面２０の一方に突条を、周方向に間隔を置いて複数設け、その突条を他方に接して両者の間に空気流通用空間２３を形成したことが第１・第２の実施の形態と相違し、他の構成は同様である。
【００３７】
図９に示すように、放散器本体１０の周面１０ｂを円形とすると共に、用具２の内周面２０を円形とする。
前記周面１０ｂの直径は内周面２０の直径よりも小さく、その周面１０ｂに突条３１が周方向に間隔を置いて複数設けてある。
前記放散器本体１０の突条３１が用具２の内周面２０に接して支持部２１となると共に、その放散器本体１０の周面１０ｂと内周面２０との間に空気流通用空間２３を形成する。
【００３８】
この場合には、突条３１は弾性変形し易い形状、材質とすることが好ましい。
例えば、図１０（ａ）に示すように突条３１の外面３１ａを放散器本体１０の周面１０ｂと平行に対して斜めとする。
図１０（ｂ）に示すように、用具２の内周面２０をテーパー形状とする。
図９に示すように、用具２の外周面２４が円形であるので、その外周面２４の下部に支持台部３２を設けて横面設置部２ｃとしてある。
【００３９】
次に、本発明の第４の実施の形態を図１１、図１２に基づいて説明する。
この実施の形態は、用具２の中空部２７を薬剤を含有した空気を大気に放出する薬剤放出通路として利用したことが前述の各実施の形態と相違し、他の構成は同様である。
図１１に示すように、放散器本体１０の周面１０ｂと用具２の内周面２０との接触部３３の周方向の長さを長くする。例えば、放散器本体１０の周面１０ｂを円形とし、内周面２０を四角形で、かつ各内面に円弧状面３４を有する形状とし、その円弧状面３４と周面１０ｂが接触して接触部３３を周方向に長くする。
【００４０】
前記用具２の内周面２０における円弧状面３４に流入口３５を、放散器本体１０の周面１０ｂに形成した放出口１４と対向して形成し、その放出口１４を放出した空気が流入口３５を通して中空部２７内に流入するようにする。
前記用具２に中空部２７を外部に開口する流出口３６を形成する。例えば、前面２５に流出口３６を形成する。
【００４１】
このようにすれば、吸込口１３に吸い込みされる空気は空気流通用空間２３を流通し、放出口１４から放出された薬剤を含有した空気は用具２の中空部２７を流通するので、吸い込み空気と薬剤を含有した空気がそれぞれ別々に流通し、薬剤を効率良く大気に放散できる。
【００４２】
前述の実施の形態においては、用具２を中空部２７を有するリング形状としたので、その中空部２７に水を注入して溜めることにより、装飾物として生花を用いることができる。
例えば、図１３と図１４に示すように、用具２の前面２５、外周面２４の上部寄りに穴２９を、中空部２７に開口連通して形成して装飾物取付部２ｅとする。中空部２７の下部寄りは完全に密閉されて水が洩れないようにする。
このようにすることで、穴２９から生花を中空部２７の下部まで挿入して取付けることによって、生花が水を吸収するので、生花を装飾物として長期間に亘って使用できる。
【００４３】
この場合には、用具２を横面Ｂに設置して使用する際に、中空部２７に注入した水によって用具２の安定性がより向上する。
なお、図１３に示すように用具２の内周面２０の下部寄りを平坦面として中空部２７の下部容積を大きくして多量の水を溜めることができるようにすることが好ましい。
また、図１３、図１４に示すように、用具２に注水口３７を形成し、キャップ３８で開閉自在とすることで、中空部２７内に水を注入し易くなる。
【００４４】
次に、本発明の第６の実施の形態を図１５、図１６に基づいて説明する。この実施の形態は、放出口１４を直接大気に開口したことが他の実施の形態と相違し、他の構成は同様である。
図１６に示すように、用具２の放出口１４と対向した部分を除去して放出口１４を大気に直接開口する。
例えば、用具２の前面を斜めとして放散器本体１０の一部分を露出させる。
この露出した部分に放出口１４を形成し、薬剤を含む空気を放出口１４から直接大気に放出するように構成する。
なお、用具２の前面を階段形状、コ字形状としたり、放出口１４と対向した部分に開口部を有する形状としても良い。
【００４５】
前述の各実施の形態においては、用具２を周方向に連続したリング形状としたが、これに限ることはなく、用具２を不連続部を有するリング形状としても良い。
このようにすれば、用具２に周方向の拡開力を付与して用具２を周方向に拡開変形して内周面２０を大径にできると共に、その拡開力をなくすことで元の形状に復元して内周面２０を小径にできるので、その用具２の薬剤放散器挿入部２ｄに薬剤放散器１（放散器本体１０）を強固に支持することができる。
【００４６】
例えば、図１、図５、図９、図１１、図１３、図１５に仮想線で示すように用具２の一部分に不連続部２−１を形成する。
図１１に示す場合には、不連続部２−１で中空部２７が開口するようにすれば、流出口３６を不要とすることができる。
【００４７】
前述の各実施の形態において、装飾物を装飾物取付部２ｅに取付ける際、放散器本体１０の前面１０ａは閉塞されているので、装飾物を放散器本体１０の前面１０ａを覆うようにして用具２の前面の全てを覆うようにして飾ることができる。また、放散器本体１０の後面１０ｃ側に薬剤１２及び吸込口１３があるので、装飾物により薬剤１２を傷つけたり、吸込口１３を塞いだりすることがない。
また、前述の各実施の形態の放散器本体１０は、その前面１０ａに電池収納室１７を設けたが、これに限ることはなく、電池収納室１７は放散器本体１０の周面１０ｂに設けても良い。
【００４８】
本発明に用いられる装飾物として、花、観葉植物、草花、などの人工花、草木などの生花や切花、犬、猫、鳥、魚、蝶、などの創作動物、昆虫や果実、乗物、人形、ぬいぐるみ、写真、など見て美しい物、楽しいもの、癒やすもの、好きなもの、などが挙げられる。
例えば、造花例としては壁掛け調、花輪調、コサージュ調、ブーケ調、髪飾り調、寄せ花調、花瓶等押し花調、一輪挿し調、枝垂調、などのオリジナル造花が挙げられる。
【００４９】
本発明の薬剤含浸体３１の材質として無機質及び有機質の成形材料から成形されたものとしては、紙類（パルプ、リンター、合成紙など）、木製類（おがくずなど）セラミック、繊維類（化学繊維、ガラス繊維、炭素繊維など）、天然繊維（木綿、羊毛、絹、麻など）、樹脂類（ポリエチレン、ポリプロピレン、レーヨン、ビスコース、高吸油性ポリマーなど）、その他各繊維からの不織布、天然植物等の乾燥物などが挙げられる。成形物の形状としては、有効面積の大きいものが好ましく、粒状、線状、糸状などが例示できる。また、通気性の大きいものが好ましく、ビーズ形、網形、ハニカム形、すのこ形、格子形などが例示できる。
また、薬剤含浸体３１を送風機のファンに保持しても良い。
【図面の簡単な説明】
【００５０】
【図１】本発明の第１の実施の形態を示す正面図である。
【図２】本発明の第１の実施の形態を示す側面図である。
【図３】図１のＣ−Ｃ断面図である。
【図４】用具の斜視図である。
【図５】本発明の第２の実施の形態を示す正面図である。
【図６】図５のＤ−Ｄ断面図である。
【図７】用具の斜視図である。
【図８】横面に設置して使用する状態の正面図である。
【図９】本発明の第３の実施の形態を示す正面図である。
【図１０】突条と放散器本体の周面との他の例を示す説明図である。
【図１１】本発明の第４の実施の形態を示す正面図である。
【図１２】図１１のＥ−Ｅ断面図である。
【図１３】本発明の第５の実施の形態を示す正面図である。
【図１４】図１３の右側面図である。
【図１５】本発明の第６の実施の形態を示す正面図である。
【図１６】図１５の右側面図である。
【符号の説明】
【００５１】
１…送風式の薬剤放散器、２…用具、２ａ…縦面当接部、２ｂ…縦面取付部、２ｃ…横面設置部、２ｄ…薬剤放散器挿入部、２ｅ…装飾物取付部、２−１…不連続部、１０…放散器本体、１１…送風機、１２…薬剤、１３…吸込口、１４…放出口、２０…内周面、２１…支持部、２３…空気流通用空間、２７…中空部、３１…突条、３３…接触部、３５…流入口、３６…流出口。
【図１】
2007222094.tif 000003
【図２】
2007222094.tif 000004
【図３】
2007222094.tif 000005
【図４】
2007222094.tif 000006
【図５】
2007222094.tif 000007
【図６】
2007222094.tif 000008
【図７】
2007222094.tif 000009
【図８】
2007222094.tif 000010
【図９】
2007222094.tif 000011
【図１０】
2007222094.tif 000012
【図１１】
2007222094.tif 000013
【図１２】
2007222094.tif 000014
【図１３】
2007222094.tif 000015
【図１４】
2007222094.tif 000016
【図１５】
2007222094.tif 000017
【図１６】
2007222094.tif 000018